(57)【要約】      （修正有）【課題】ファンをより良く固定し、ファンの脱落を回避することができる位置決めリング構造付き空調服を提供する。【解決手段】空調服は、２つの後腰部のいずれにもファン固定孔１が開けられた衣服本体を含み、それぞれのファン固定孔に外風を衣服内に取り込むためのファンが固定されており、それぞれのファン固定孔の縁に軟質プラスチックガスケット１１が敷設されており、該軟質プラスチックガスケットと、衣服本体に開けられたファン固定孔の縁とは、キルティングにより固定され、固定後、ファン固定孔の縁は、ある程度の靭性を持ち、ファンをより良く固定することができる。【選択図】図４
0003225732.tif 000002
【実用新案登録請求の範囲】
【請求項１】
２つの後腰部のいずれにもファン固定孔が開けられた衣服本体を含み、それぞれのファン固定孔に外風を衣服内に取り込むためのファンが固定されている位置決めリング構造付き空調服であって、
それぞれのファン固定孔の縁に軟質プラスチックガスケットが敷設されており、該軟質プラスチックガスケットと、衣服本体に開けられたファン固定孔の縁とは、キルティングにより固定される
ことを特徴とする位置決めリング構造付き空調服。
【請求項２】
直径の大きさが一致しない２層の前記軟質プラスチックガスケットが設けられており、その内、直径の小さい方の層は短辺で、直径の大きい方の層は長辺であり、短辺と長辺とが交わることで、ファン固定孔の縁を挟持するためのＶ形溝が形成される
ことを特徴とする請求項１に記載の位置決めリング構造付き空調服。
【請求項３】
短辺と長辺の外面のいずれにも、キルティング溝が分布されている
ことを特徴とする請求項２に記載の位置決めリング構造付き空調服。
【請求項４】
前記軟質プラスチックガスケットの材料は、具体的に、ＴＰＵ軟質プラスチックである
ことを特徴とする請求項１、２または３に記載の位置決めリング構造付き空調服。
【請求項５】
衣服本体の内側には、メッシュ布と、前記２つのファン固定孔をそれぞれ覆う２枚の風防布とが設けられており、その内、衣服本体の左側に位置する風防布の左縁及び底縁は、キルティングにより衣服本体に固定され、衣服本体の右側に位置する風防布の右縁及び底縁は、キルティングにより衣服本体に固定されており、２枚の風防布の間は、前記メッシュ布を介して繋げられている
ことを特徴とする請求項１に記載の位置決めリング構造付き空調服。
【請求項６】
前記メッシュ布の中間には、アイスパックを保管するためのポケットが縫い付けられている
ことを特徴とする請求項５に記載の位置決めリング構造付き空調服。
【考案の詳細な説明】
【技術分野】
【０００１】
本実用新案は、温度調整服の分野に関し、特に、位置決めリング構造付き空調服に関する。
【背景技術】
【０００２】
従来の空調服は、普通の服の後腰部に小型ファンを取り付けることで、人の体に送風降温機能を提供しており、その具体的な取付構造は、以下の通りである。
【０００３】
空調服の後腰部にファン固定孔が開けられ、ファンの構造は、中国出願「２０１９２０１６０８５６．３」に示すようなもので、フロントカバー、ブレード、モータ、リアカバー及びチャックで構成され、フロントカバーの後端が空調服の外から裏へファン固定孔を通過してリアカバーと係合され、チャックがリアカバーに外付され、チャックを回転させて、ファン固定孔の縁における空調服の生地がチャックの前縁とフロントカバーの前縁とによってクランプされるようにすることで、ファンの取付固定が実現される。
【０００４】
上述した技術案の欠点としては、ファン固定孔の縁における空調服の生地が柔らかいため、使用者が普段で空調服を着用している間に、ファン固定孔の縁における空調服の生地がチャックの前縁とフロントカバーの前縁との間から外れることにより、ファンが脱落してしまう。
【考案の概要】
【考案が解決しようとする課題】
【０００５】
本実用新案の目的は、ファンの脱落を防止することにある。
【課題を解決するための手段】
【０００６】
上記の目的を達成するために、本実用新案は、以下の技術案により実現される。
【０００７】
２つの後腰部のいずれにもファン固定孔が開けられた衣服本体を含み、それぞれのファン固定孔に外風を衣服内に取り込むためのファンが固定されている位置決めリング構造付き空調服であって、それぞれのファン固定孔の縁に軟質プラスチックガスケットが敷設されており、該軟質プラスチックガスケットと、衣服本体に開けられたファン固定孔の縁とは、キルティングにより固定される位置決めリング構造付き空調服を提供する。
【０００８】
更に、直径の大きさが一致しない２層の前記軟質プラスチックガスケットが設けられており、その内、直径の小さい方の層は短辺で、直径の大きい方の層は長辺であり、短辺と長辺とが交わることで、ファン固定孔の縁を挟持するためのＶ形溝が形成される。
【０００９】
更に、短辺と長辺の外面のいずれにも、キルティング溝が分布されている。
【００１０】
更に、前記軟質プラスチックガスケットの材料は、具体的に、ＴＰＵ軟質プラスチックである。
【００１１】
更に、衣服本体の内側には、メッシュ布と、前記２つのファン固定孔をそれぞれ覆う２枚の風防布とが設けられており、その内、衣服本体の左側に位置する風防布の左縁及び底縁は、キルティングにより衣服本体に固定され、衣服本体の右側に位置する風防布の右縁及び底縁は、キルティングにより衣服本体に固定されており、２枚の風防布の間は、前記メッシュ布を介して繋げられている。
【００１２】
更に、前記メッシュ布の中間には、アイスパックを保管するためのポケットが縫い付けられている。
【考案の効果】
【００１３】
本実用新案の空調服は、衣服本体を含み、衣服本体の２つの後腰部のいずれにもファン固定孔が開けられており、それぞれのファン固定孔の縁に軟質プラスチックガスケットが敷設されており、該軟質プラスチックガスケットと、衣服本体に開けられたファン固定孔の縁とは、キルティングにより固定され、固定後、ファン固定孔の縁は、ある程度の靭性を持ち、ファンをより良く固定し、ファンの脱落を回避することができる。
【図面の簡単な説明】
【００１４】
【図１】図１は、本実用新案の空調服の正面図である。
【図２】図２は、本実用新案の空調服の右側面図である。
【図３】図３は、本実用新案の空調服の背面図である。
【図４】図４は、空調服の後腰部に開けられた孔及びその軟質プラスチックガスケットの構造模式図である。
【図５】図５は、軟質プラスチックガスケットの構造模式図である。
【図６】図６は、軟質プラスチックガスケットの断面模式図である。
【図７】図７は、空調衣服の内側の構造模式図であって、同図には、ファンが省略されている。
【図８】図８は、電池とファンとの接続模式図である。
【考案を実施するための形態】
【００１５】
本実用新案によって解決される技術的課題、技術案及び有益な効果をより明確にするために、以下、実施例及び図面を参照して、本実用新案を更に詳しく説明するが、ここに記載される具体的な実施例は、あくまでも本実用新案を解釈するためのものに過ぎず、本実用新案を制限するためのものではないことを理解されたい。
【００１６】
図１〜図３は、３つの視角から、空調服の構造を示している。
【００１７】
図４に示すように、空調服は、衣服本体を含み、衣服本体の２つの後腰部には、それぞれ、ファンを固定するための２つのファン固定孔１が開けられており、それぞれのファン固定孔１の縁に軟質プラスチックガスケット１１が敷設されており、軟質プラスチックガスケット１１は、ＴＰＵ軟質プラスチック製であり、衣服本体に開けられたファン固定孔１の縁とは、キルティングにより固定され、固定後、ファン固定孔１の縁は、ある程度の靭性を持ち、図３内のファン５をより良く固定して、ファンの安定性を確保することができる。
【００１８】
図５及び図６は、軟質プラスチックガスケット１１の構造図及びその断面図を示しており、図６に示すように、軟質プラスチックガスケット１１は、短辺１１１及び長辺１１２からなり、短辺１１１と長辺１１２とが交わることで、ファン固定孔の縁を挟持するためのＶ形溝が形成され、その短辺１１１は、ファン固定孔の縁の嵌め込みを容易にする。短辺１１１と長辺１１２の外面のいずれにも、キルティング溝１１１１が分布されており、キルティングの際は、軟質プラスチックガスケット１１をファン固定孔１内に嵌めてから、キルティング溝１１１の上で糸回しにより固定すればよく、キルティングプロセスが簡単で、便利である。
【００１９】
図７に示すように、衣服本体の内側には、２つのファン固定孔をそれぞれ覆う２枚の方形の風防布２１、２２が設けられており、その内、衣服本体の左側に位置する風防布２１の左縁及び底縁は、キルティングにより衣服本体に固定され、衣服本体の右側に位置する風防布２２の右縁及び底縁は、キルティングにより衣服本体に固定されている。２枚の風防布２１、２２の間は、メッシュ布３を介して繋げられ、メッシュ布３の底縁と衣服本体とは、キルティングにより固定される。使用の際、風は、ファンによって衣服本体内に取り込まれると、風防布２１、２２による案内作用の下で、それぞれ風防布２１、２２の上縁及びメッシュ布３から吹き出され、人の後腰の間の領域を降温するとともに、風防布２１、２２及びメッシュ布３の上方の身体領域を降温することができ、しかも、人の後腰に直接吹き付けられることがなく、降温効果が保障されながら、ファンが長時間に亘って人の後腰に直接吹き付けられることによる不快感が低減される。
【００２０】
更に、メッシュ布３の中間には、流れる風の温度を低下させ、空調服の降温効果をより顕著にするために、アイスパックを保管するためのポケット３１が、ミシンを用いてキルティングされている。
【００２１】
図８に示すように、衣服本体の内側の隣には電池袋が設けられており、電池４は、ポケットに収容され、給電線を介して２つのファン５に電力を供給する。
【００２２】
最後に述べたいのは、上記の実施例は、あくまでも本実用新案の技術案を説明するためのものに過ぎず、本実用新案の保護範囲に対する制限ではなく、好ましい実施例を参照して、本実用新案を詳しく説明したが、当業者であれば、本実用新案の技術案の本質及び範囲を逸脱することなく、本実用新案の技術案を修正したり、同等的に置き換えることが可能なのを理解すべきである。
【図１】
0003225732.tif 000003
【図２】
0003225732.tif 000004
【図３】
0003225732.tif 000005
【図４】
0003225732.tif 000006
【図５】
0003225732.tif 000007
【図６】
0003225732.tif 000008
【図７】
0003225732.tif 000009
【図８】
0003225732.tif 000010